(57)【要約】  自転車のフレームに取り付けられ、または取り付けるためのベース要素と、固定するべくヘルメットにおける開口の中を通すためのヘルメット係合要素であって、ベース要素に取り付けられ、または搭載されており、収納構成と動作構成との間で移動可能であるヘルメット係合要素と、係合要素の少なくとも一部にロックするためのロック要素とを有する装置は、いかなる自転車にも嵌合しまたは適合し得るヘルメットロックシステムを提供し、換気孔を有するいかなるサイクルヘルメットも、追加の機器を持ち運ぶ必要無く、誰が自転車に乗っているか、またはどのヘルメットを使用しているかにかかわらず、自転車が使用中でないときそれにロックすることを可能にする。
2016515669.tif 000002
【特許請求の範囲】
【請求項１】
自転車などの車両に安全ヘルメットを固定するための装置であって、
前記車両（例えば自転車のフレーム）に取り付けられ、または取り付けるためのベース要素と、
固定するべく前記ヘルメットにおける開口の中を通すためのヘルメット係合要素であって、前記ベース要素に取り付けされ、または搭載され、コンパクトな収納構成と拡張された動作構成との間で移動可能なヘルメット係合要素と、
前記係合要素の少なくとも一部を受けてロックするためのロック要素と、を備える装置。
【請求項２】
前記ベース要素は、コンパクトな構成において前記係合要素を収納するための筐体であり、前記係合要素は、動作構成において前記ベース要素から延在する、請求項１に記載の装置。
【請求項３】
前記ベース要素は前記車両（例えば自転車フレームまたは他の自転車のコンポーネント）と一体である、請求項１または２に記載の装置。
【請求項４】
前記ベース要素は、前記車両（例えば自転車フレーム、例えば複数のハンドルバー）に確実に取り付け可能である、請求項１または２に記載の装置。
【請求項５】
前記係合要素は、拡張可能な係合要素である、請求項１から４のいずれか一項に記載の装置。
【請求項６】
前記係合要素は可撓性を有する、請求項１から５のいずれか一項に記載の装置。
【請求項７】
前記係合要素は、前記ベース要素としての筐体内におけるコイル状のコンパクトな収納構成、及びケーブルの端部が前記筐体から延在し、前記ケーブルが収納位置から少なくとも部分的にコイル状に巻かれていない延出された動作構成を有する前記ケーブルの長さを備える、請求項１から６のいずれか一項に記載の装置。
【請求項８】
前記係合要素は可撓性を有する、弾力性を持たされたケーブルである、請求項１から７のいずれか一項に記載の装置。
【請求項９】
前記係合要素は、伸縮式ロッド等の剛性の延出可能要素である、請求項１から５のうちいずれか一項に記載の装置。
【請求項１０】
前記係合要素は細長く、前記ベース要素に一端部において固定して取り付けられ、または搭載され、他方の端部は、好ましくはロック要素によって受容されるためのロック係合ヘッドと共に提供される自由端である、請求項１から９のいずれか一項に記載の装置。
【請求項１１】
前記ロック要素は、前記ベース要素の一部であり、前記係合要素は、前記ヘルメットにおける開口の中を通すことによって前記ヘルメットを係合させ、次に前記ベース要素における前記ロック要素において適所にロックされる、請求項１から８のいずれか一項に記載の装置。
【請求項１２】
ロック手段は、前記ベース要素とは別個の、前記係合要素の少なくとも一部を受けてロックするディスクリートユニットであって、前記ロック手段は、ロックを含み、前記ロック手段が前記ヘルメットにおける開口を介して移行するのを阻止し、それにより、前記ヘルメットを前記車両に固定する、請求項１から１０のいずれか一項に記載の装置。
【請求項１３】
前記車両は自転車である、請求項１から１２のいずれか一項に記載の装置。
【請求項１４】
請求項１から３のいずれか一項に記載の装置と統合され、フレームを有する自転車。
【請求項１５】
自転車に安全ヘルメットを一時的に固定するための方法であって、
請求項１から１３のいずれか一項に記載の装置を前記自転車に提供し、それによってベース要素が前記自転車のフレームに設置されるかまたはしっかりと搭載される段階と、ヘルメット係合要素がそれの動作構成に移動するようにする段階と、前記ヘルメット係合要素の第１端部を前記ヘルメットの穴（例えば換気孔）の中へ通す段階と、前記係合要素の少なくとも一部分が前記ロック要素と連携するようにする段階と、前記ロック要素が前記係合要素に固定されるようにし、それによって前記安全ヘルメットが前記自転車に安全にロックされる段階と、を備える方法。
【請求項１６】
取り付けるための手段を有する物品に係合するための穴を有するアクセサリをロックするためのロック装置であって、
前記取り付けるための手段によって前記物品に取り付けるためのベース要素と、
前記物品に固定するべく前記アクセサリにおける開口の中を通すためのアクセサリ係合要素であって、前記ベース要素に取り付けられ、または搭載され、コンパクトな収納構成と延出された動作構成との間で移動可能である、アクセサリ係合要素と、
前記係合要素の少なくとも一部を受けてロックするためのロック要素と、
を備えるロック装置。
【請求項１７】
複数の図面を参照して記載された装置。
【発明の詳細な説明】
【技術分野】
【０００１】
本発明は、複数のロック装置の分野に関する。具体的には、本発明は、自転車、特に公共の場所において安全に駐車されている自転車など、動作が固定された車両に安全ヘルメットをロックするまたは固定するための装置に関する。
【背景技術】
【０００２】
サイクリングはレジャー活動、または例えば通勤用の運搬の手段として次第にポピュラーになっている。ほとんどのサイクリストは、安全ヘルメットを着用することを好む。これは、実際に、いくつかの国において既に遂行されているように、法的な条件となり得ることがある。
【０００３】
これは、自転車を盗難防止の様式で駐車した後に、ヘルメットをどう扱うかの問題を生じる。自転車自体を駐車施設に留めるべく使用されるケーブルは、そのヘルメットを固定するためにもまた不適切である。それは、そのヘルメットが、その結果地面に近くなるかもしれないからであり、そのような場合、その全ての難点をもって、ケーブルはこれには短すぎるか、あるいはヘルメットの空間がバイクラックには無い。
【０００４】
ヘルメットを自転車に固定するための好適な装置がない場合、サイクリストは、そのヘルメットを持って、職場、店等に運ばなければいけない。これは、特に、ヘルメットの扱いにくい形状ゆえに明らかに厄介である。
【０００５】
この問題を解決するべく幾つかの試みがされている。
【０００６】
ロック装置の自転車用ヘルメットの顎ひもへの組み込み（あるいはこれらとの結合）は、ＧＢ−Ａ−８５３４６１、ＷＯ−Ａ−２０１２／０２８７４２および ＷＯ−Ａ−２０１０／１２８００５に記載されている。しかしながら、これは、顎ひもを扱いにくくし、ヘルメットへの装置の組み込みを要求し得る。従って、ユーザは、新しいヘルメットを取得しなければならず、サイクリングにおいて同じヘルメットが使用される必要がある。
【０００７】
ＵＳ−Ｂ−６４１５６３５は、自転車のフレームのサドル支持管に恒久的に取り付けられ得るロックケースであって、サドル支持管に直交する方向においてロックヘッドを受けるように構成されたロックケースと、Ｌ字形状の延長縦方向ロッドであって、１つの短いロッドシャンクと１つの長いロッドシャンクとを有し、各々がロックケースに嵌合させ及びロックさせるためのロッキングヘッドを有する延長縦方向ロッドとの２部分から成るヘルメット用のロック装置について説明する。短いロッドシャンクと長いロッドシャンクとの間に球根状結合部が提供され、そうすることによって、長いロッドシャンクがヘルメットおよびロックケースに固定されているロッキングヘッドにおける換気孔の中を通過させられるとき、球根状結合部は、縦ロッドの全体が穴の中を通過することを阻止し、ヘルメットが上記自転車上に安全に保持されることを可能にする。使用中において、長いロッドシャンクは、ヘルメットの中を通過し、自転車の主要フレームにおける空間においてヘルメットを保持しているロックケースの中にロックされる。  その残りの構成において、短いロッドのロッキングヘッドは、長いロッドシャンクが支持管に平行に収納されるように、ロックケースの中にロックされる。これは、（支持管とバックホイールとの間で）ロックがアクセスするのに困難であり、ヘルメットを取り付けることは煩わしく、複数のペダルを妨げる可能性があり、ヘルメットをバイクの下方に格納し、剛性要素が収納されることを要求し、それが衣服等に付く可能性があるといった不利益を有する。
【０００８】
ＣＡ−Ａ−２１３２９９６は、自転車フレームに搭載するための取り付け板を含み、ロックヘッドを受けるロックを有するヘルメットロック、およびそのヘルメットにおける換気口の中を通過し、上記取り付け板上のロックに係合するためのロックヘッドを備えた対応するＴ字形状の剛性要素について説明する。この（固定長の）剛性要素は、煩わしくなり得、ヘルメットを取り付けることを厄介にする。
【０００９】
従って、サイクリストが、ヘルメットを、自転車自体と同等に盗難が困難なやり方で（例えば、駐車施設にロックされているとき、または縛られているとき）自転車に都合よく格納出来るようにする装置に対する必要性が依然と存在する。
【００１０】
本発明者は、従来技術の不利益を改善する装置を考案した。
［発明が解決しようとする課題］
【００１１】
自転車、オートバイおよびスクーター等の車両にヘルメット等の物品を安全にロックする改善された装置、システムおよび方法に対する必要性が存在する。
【００１２】
製造がサイクルヘルメット等の物品を自転車等の車両に安全にロックする際に効率的であり、効果的である装置を提供することが本発明の目的である。
［発明の概要］
【００１３】
従って、本発明の第１の態様において、自転車等の車両に安全ヘルメットを固定するための装置が提供され、当該装置は、
車両（例えば自転車のフレーム）に取り付けられている、または車両に取り付けるためのベース要素と、
ヘルメットを固定するべく、ヘルメットにおける開口の中を通る、ヘルメット係合要素であって、ベース要素に取り付けられ、あるいは搭載されており、コンパクトな収納構成と演出された動作構成との間で移動可能な、ヘルメット係合要素と、
係合要素の少なくとも一部を受け、ロックするためのロック要素と、を含む。
【００１４】
本発明の第２の態様において、フレームを有し、上記において画定された装置が統合された自転車が提供される。
【００１５】
本発明の第３の態様において、自転車に一時的に安全ヘルメットを固定するための方法が提供される。当該方法は、自転車に、当該自転車のフレームにベース要素が確立されているあるいは孤影して搭載されている、上記で規定されたような装置を提供する段階と、ヘルメット係合要素がそれの動作構成に移動するようにする段階と、ヘルメット係合要素の第１端部をヘルメットにおける穴（例えば換気孔）の中に通す段階と、係合要素の少なくとも一部分がロック要素と連携するようにする段階と、当該ロック要素が係合要素に固定されるようにする段階とを備え、安全ヘルメットは自転車に安全にロックされている。
【００１６】
本発明の第４の態様において、付着するための手段を有する物品に、係合するための穴を有するアクセサリをロックするためのロック装置が提供され、当該ロック装置は、取り付けるための手段によって物品に取り付けるためのベース要素と、物品に固定するべく上記アクセサリにおける開口の中を通すためのアクセサリ係合要素と、係合素の少なくとも一部を受けてロックするためのロック要素と、を備え、上記係合要素は、ベース要素に取り付けされ、あるいは搭載されており、コンパクトな収納構成と拡張された動作構成との間で移動可能である。
【００１７】
［本発明の効果］
本発明の装置は、いずれの自転車に嵌合され、または適合されてよい。また、複数の換気孔を有するいかなるサイクルヘルメットも、追加の機器を持ち運ぶ必要なく、誰が自転車に乗っているかあるいはどのヘルメットを使用しているかにかかわらず、使用中していない自転車にロックすることが可能になる。装置はまた、ヘルメットがカバーされ地面から離れた状態にしておくことができるやり方で収納することを可能にする。
【図面の簡単な説明】
【００１８】
【図１】２つの組み込まれる部分を示す本発明の一実施形態に従って装置の様々なコンポーネントの分解図を示す。
【図２】それの２つの部分における本発明の一実施形態の装置を示す。
【図３】本発明の一実施形態の装置、静止している完全な組立構造体を示す。
【図４】自転車のハンドルバーに固定された図３の装置を示す。
【図５】ハンドルバーに固定されたヘルメットを備えた図４の装置を示す。
【発明を実施するための形態】
【００１９】
本発明は、安全ヘルメットを車両、特にオートバイ、モペッド、モータースクーター、スクーター、三輪車または自転車などのハンドルバーを有する車両に固定するための手段である装置を提供する。より好ましくは、当該車両は、自転車または三輪車等のペダルサイクルであって、最も好ましくは、自転車である。
【００２０】
以下の説明は、上記車両が自転車である実施形態を主に対象とする。  しかしながら、複数の特徴は、状況が許せば車両の汎用性にも適応でき、他の特定の車両にもまた適応できることは理解されるべきである。
【００２１】
当該装置は、ベース要素と、そのベース要素に付着され、あるいは搭載されたヘルメット係合要素と、ロック要素（係合要素を受けてロックするための）とを含む。
【００２２】
上記ベース要素は、上記車両に一体であるか、または搭載／固定可能（通常取り外し可能）であるべきであり、自転車の場合において好ましくは、ハンドルバー（または自転車のフレームの他の一部）に一体であるか、または搭載／固定が可能であるべきである。従って、一体的でない実施形態におけるベース要素は、好ましくは、自転車のフレームにそのベース要素を取り付けるための固定手段を備える。理想的には、そのような固定は、（クイックレリース固定よりもむしろ）ねじ固定またはロックを用いて固定されるべきである。  好ましくは、ベース要素は、ヘルメット係合要素用の筐体を形成する。
【００２３】
上記ヘルメット係合要素は、ヘルメットを固定するべく、ヘルメットにおける開口の中を通すためのものである。上記ヘルメット係合要素は、ベース要素に付着されているかまたは搭載されており、従ってそれは、自転車（または他の車両）上においてヘルメットを保持し得る手段である。上記ヘルメット係合手段は、コンパクトな収納構成と拡張された動作構成との間で移動可能である。
【００２４】
好ましい実施形態において、ヘルメット係合要素は、それのコンパクトな収容構成において上記ベース要素によって提供される筐体内（または少なくとも部分的に内部）で保持され、それの拡張された動作構成においては筐体から（または筐体から少なくとも部分的に）延在する。
【００２５】
好ましくは、上記ヘルメット係合要素は、拡張可能である。任意に、係合要素は、剛性または可撓性を有してもよい。例えば、係合要素は、剛性の伸縮式ロッドであってよく、あるいは弾性または非弾性のフレキシブルケーブルであってもよい。
【００２６】
好ましい実施形態において、係合要素は可撓性を有する。係合要素は、例えば、筐体内で保持され、その結果ロック要素に固定される前にヘルメットに係合するべく（例えば自転車用ヘルメットにおける換気孔を介して）伸ばされる弾性のロープもしくはロッドであってよい。あるいは、より好ましくは、係合要素は、ベース要素（例えば筐体内において回転可能に搭載されたリール）によって提供される筐体内において好ましくはコイル状に巻かれた状態で保持され得るコンパクトな収容構成、及びケーブルの端部が筐体から（少なくともある程度）延在し、当該ケーブルが少なくとも部分的にそれの収納位置からコイル状に巻かれていない拡張された動作構成を有するケーブルの長さである。好ましくはケーブルは、コイル状に巻かれたまたは巻かれたケーブルを筐体内において保持するためのリールに関連づけられるばね装置等によって、収納位置に付勢される。
【００２７】
上記係合要素は好ましくは細長く、ベース要素（例えば係合要素の巻かれたケーブルを保持するリールの中央柱またはコア）に（安全に）付着されたまたは搭載された第１端部（例えば近端部）と、通常ヘルメットを係合させるべくヘルメットの開口の中を通り、対応するロック要素によって受けられる第２の自由端とを備える。係合要素の自由端には、好ましくは、ロック係合ヘッドが提供され、当該ロック係合ヘッドは、ロック要素が固定されるまたはロック要素に係合するように構成されたロックヘッドが形成され得る、成形、強化またはスプライスされたループの形式であってよい。
【００２８】
上記ロック要素は、好ましくは係合要素にロックするべく構成され、ロックはキーまたは組み合わせキー（機械または電子）、キーカード操作の電子ロックまたはクレジットカード操作の電子ロック、またはバイオメトリック識別システムを用いて安全に保持されるべく、および／または解除可能（すなわち動作可能）である。好ましくは、上記ロックは、キーを手段として動作可能である。
【００２９】
上記ロック要素は、ディスクリートユニットであってよく、すなわちロック要素は取り付けられない別個のユニットであることを意味し、従って（これに係合し、ロックすると）ベース要素、またはそうでない場合は係合要素から離れている車両（例えば自転車フレーム）に取り付けされない。あるいは、特に上記係合要素が可撓性を有する本発明の実施形態においては、ロック要素は車両（例えば自転車のフレーム）の一部またはベース要素を形成するか、またはそれに取り付けされてよい。そのような実施形態に従って、ロック要素はベース要素の一部であってよい。そのような実施形態に従った使用において、ユーザは、上記係合要素を自由端（ロック係合ヘッドを有する）によって引き出し、または引っ張り、安全ヘルメットにおける開口の中を通し、次に第２開口の中を通すかあるいはベース要素のロック要素部分へ直接戻すかいずれか一方を行い、そのロック要素と自由端を係合させロック要素が係合要素に安全にロックするようにする。それにより、ヘルメットは車両において安全に保持され得る。
【００３０】
好ましい実施形態において、上記ロック要素はディスクリートユニットである。係合要素をヘルメットの開口の中を通した後にそれをロックすると、ロック要素は係合要素の全体が、開口を経由してベース要素へ自由に戻ることを阻止しそのヘルメットが取り除かれることを阻止するように構成されるべきである。従って、ヘルメットは車両（例えば自転車）に固定されてよい。これは通常、開口を通って移行するのを阻止するように寸法付けされる（あるいは少なくともロックされた構成において係合要素によって係合されたヘルメットの開口を通って移行を阻止するように寸法付されるように構成されている）ロック要素によって達成される。好ましくは、ロック要素は、三方向において少なくとも２．５ｃｍ、好ましくは少なくとも３ｃｍの寸法を有するべきである。任意に、寸法は少なくとも一寸法（例えば、ロック要素に接触する地点においてヘルメット係合要素の長手方向に直交する）任意に第２寸法（例えば、ヘルメット係合要素の長手方向に直交する）及び任意に第３寸法（例えば、係合要素の長手方向）において、少なくとも５ｃｍになるべきである。任意に、一つまたは各寸法における寸法は、最大約１０ｃｍであり、任意に最大７．５ｃｍ、任意に最大６ｃｍであるべきである。
【００３１】
本発明の特に好ましい実施形態において、当該装置は自転車に使用するものであり、その自転車の複数のハンドルバーに一体であるか、またはその自転車のハンドルバーに搭載されもしくは搭載可能であるかいずれか一方であるベース要素を含む。上記ベース要素は、リールが位置しそのコアの周りを回転するように構成された筐体を備える（一体でない形式において、筐体をハンドルバー上に搭載するための手段を有する筐体を備える）。リールに取り付けられて（従ってベース要素に）自転車用ヘルメットと係合するためのフレキシブルケーブルが提供される（第１端部において、例えばリールのコアに取り付けされた）。そのケーブルは、リールの周りをコイル状に巻かれ（ケーブルが付勢されるコンパクトな構成で）、ケーブル（ロッキングヘッドと共に提供される）の自由端を牽引することによって筐体から延出され得る。ケーブルは、延出され、ヘルメットの開口の中を通されてもよく、ケーブル（ロッキングヘッドを有する）の自由端は、ロック要素に（例えば、ロッキングヘッドを、ロック要素にロッキングヘッドを受けるために提供されるロック開口の中へ挿入することによって）係合される。ロック要素の複数の寸法は、そのケーブルがヘルメットにおける開口の中を通って戻ることを阻止してよい。ケーブルは、固定位置において複数のハンドルバーにヘルメットを保持するべく筐体の中へ部分的にコイル状に戻してよい。
【００３２】
好ましくは、係合要素が、収納位置にあるとき、ロック要素が、例えば係合ケーブルが延出され得る開口をロックすることによって、ベース要素に収納され得るように、ベース要素およびロック要素は構成される。
【００３３】
ベース要素は、自転車のフレーム、特にハンドルバーに、実際上恒久的に（例えば複数のロックナットまたは複数の不正開封防止の固定を使用して）で取り付けられているか、または搭載されているべきである。
【００３４】
任意に、防水カバー（好ましくは通気性の防水カバー）が、（例えば自転車にヘルメットをロックした後）自転車に元の位置でロックされているヘルメットに適合させるべく提供されてよい。
【００３５】
任意に、当該装置はさらに、照明または反射器を含み、好ましくはその照明または反射素子は、個別のロック要素（例えばロック要素のエンド・プレート）の一部であり、任意に、照明素子用の電源がロック要素（例えばバッテリー）に含まれているか、あるいはベース要素に提供されるかいずれか一方であり、それにより、本発明の前述の一実施形態に従ってロック要素が収納構成でベース要素にロックされているときに、適切な電気接続が行われてよい。任意に、個別のロック要素は、一面において照明または反射器を備え、他方の面（例えば隣接面）においてロック機構（例えばキー、カードまたはバイオメトリック操作手段）を含む。
【００３６】
好ましくは、ヘルメット係合要素がケーブルである好ましい実施形態に従って、ケーブルは、２０ｃｍよりも大きい長さ、好ましくは３０から５０ｃｍの長さを、完全に延出された場合に有してよい（それによってケーブルは、ヘルメットを取り外すための容易なアクセスを可能にするべく移動させることができ、任意に、２つ以上のヘルメットまたは係合可能な開口を有する他のアイテムを格納するべく使用され得る）。
【００３７】
任意に、ベース要素が自転車に統合されている本発明の実施形態において、装置の複数の動作は、自転車のチュービング内に隠されていてよい。  例えば、上記複数の動作は、係合要素が複数のハンドルバーに形成されたポッドから延在し得る、そのハンドルバー内に隠されてよい。あるいは、ハンドルバーの端部（例えば反射器を形成する）は、ロック要素として兼ねてよく、それはケーブルの端部を見せるべく取り外されるか、または、偏りに逆らってそこから延伸し、係合要素の自由端をヘルメットにおける開口の中を通すことによってヘルメットに係合し、その自由端にロック要素を再び取り付けることによってそれにロックされる係合要素を延長してもよい。
【００３８】
他方の態様において、取り付け手段を有する物品に係合するための穴を有するアクセサリをロックするためのロック装置が提供され、当該ロック装置は、取り付けのための手段によって物品を取り付けるためのベース要素と、その物品に固定するべく上記アクセサリにおける開口の中を通すためのアクセサリ係合要素と、ベース要素に取り付けされて、または搭載されており、コンパクトな収納構成と拡張された動作構成との間で移動可能である係合要素と、係合要素の少なくとも一部を受け、それにロックするためのロック要素と、を備える。状況が許容できる場合に、他の態様について上記に記載された通りであり得る。
【００３９】
本発明はここで、添付の図を参照してより詳細に記載されるが限定されない。
【００４０】
図１から分かるように、一実施形態における装置は、２つの個別の要素、ベース要素の筐体およびヘルメット係合ケーブルであるＡ部と個別のロック要素であるＢ部とを含む。Ａ部は、ケーブルロール（またはリール）２を収納し、底部３および環状締め具４と共にベース要素を形成し、リール２は引き込み可能なプラスチックで被覆された金属コアを有するケーブル１１を運搬する、本質的に環状のケーブル筐体１を含む。自転車自体を駐車施設に固定するために使用されるものと同様または同一であり得るケーブル１１は、ケーブル筐体１の底部３において収納されたばね荷重機構において巻かれることから、後者から牽引することができ、自動的にそこへと戻る。ケーブル筐体１は、底部３の補助により下部で閉められる。Ａ部はまた、ケーブル筐体１を、固定された（取り外し不可能な）ボルト５の補助により自転車のハンドルバーに固定するための環状締め具４を備える。これらの三個のコンポーネント１、２、３、４および５は、単一の成形ユニットを形成してよく、それは、ユーザによってハンドルバーに固定され、次に続く使用のためにそこに留まる。
【００４１】
Ａ部はまた（図１および２にそれぞれ示される実施形態において）、ケーブル筐体１からケーブルを牽引するためのプルタブ６と、そのプルタブ６にしっかりと付着されたロックの雄部分７とを備える。ケーブル筐体１から分配されるケーブルは、プルタブ６の中を通り抜け、ロックの雄部分７に固定される。
【００４２】
図２はまた、Ｂ部がロックホルダー８およびキーで作動されるロックの雌部分９を備えることを示す。ロックの雄部分７は、ロックホルダー８の内部の雌部分９に結合され、後者は、装置が権限のない人によって壊されることを阻止するべくエンド・プレート１０に嵌合される。雄部分７および雌部分９を一緒に固定するロックは、キー（図示せず）によって作動される。
【００４３】
図２に示されるＡ部およびＢ部は、図３に示される組立構造体１２を形成するべく組合わされ、それは次に自転車１４のハンドルバー１３に、取り外し不可能なボルトの補助（第１の使用の前の、一回限りの操作）により固定される。その結果は図４に示される。
【００４４】
当該装置が一度ハンドルバーに装着されると、安全に駐車した自転車にヘルメット１５を固定するべく以下のように使用される。−キーはロック状態となり、Ｂ部はＡ部から離れるように牽引される。−プルタブ６を保持し、それに接続されているケーブルは、ヘルメットにおける複数の穴のうち一つの中を通り抜け、ロック７の雄部分は次に、ロックホルダー８の中に再挿入され、そこでそれがロックの雌部分９と係合する。−キーはロック状態となり、自転車は駐車位置に残される。
【００４５】
ロックされたヘルメットを取り外すべく、これらの段階は、逆の順序で実行される。
【００４６】
当該装置のサイズおよび形状、およびそれのコンポーネント、ならびにそれらを製造するために使用される複数の材料は、製造状況およびロックされるヘルメットのサイズに従って変わり得る。
【００４７】
本発明は、好ましい実施形態を参照して記載されている。しかしながら、変更形態および変形形態は、本発明の範囲から逸脱することなく当業者によって達成され得ることが理解されるであろう。
【図１】
2016515669.tif 000003
【図２】
2016515669.tif 000004
【図３】
2016515669.tif 000005
【図４】
2016515669.tif 000006
【図５】
2016515669.tif 000007
【国際調査報告】
2016515669.tif 000008
2016515669.tif 000009